(57)【要約】【課題】  遅れ時間を生じさせることなく変速制御を開始可能なハイブリッド車両の制御装置を提供すること。【解決手段】  本発明によるハイブリッド車両の制御装置は、エンジンの出力軸に結合された無段変速機と、この無段変速機と駆動輪との間に介装されたクラッチと、駆動輪に結合された電動機と、エンジンにより駆動され、無段変速機とクラッチとに油圧を供給するオイルポンプと、を備え、電動機により駆動輪に回生トルクを付与する減速回生中、クラッチを締結から解放に切り替えるときは、無段変速機の変速比を最低変速比もしくは最高変速比に変速させることとした。【選択図】図５
2014097773.tif 000002
【特許請求の範囲】
【請求項１】
エンジンの出力軸に結合された無段変速機と、
前記無段変速機と駆動輪との間に介装されたクラッチと、
前記駆動輪に結合された電動機と、
前記エンジンにより駆動され、前記無段変速機と前記クラッチとに油圧を供給するオイルポンプと、
運転状態に応じて、前記エンジン及び前記電動機の出力状態と、前記無段変速機の変速比と、前記クラッチの締結・解放とを制御する制御手段と、
を有し、
前記制御手段は、前記クラッチを締結から解放に切り替えて前記電動機により前記駆動輪に回生トルクを付与する減速回生中に、前記無段変速機の変速比を最低変速比もしくは最高変速比に変速させることを特徴とするハイブリッド車両の制御装置。
【請求項２】
請求項１に記載された、ハイブリッド車両の制御装置において、
前記制御手段は、前記電動機により前記駆動輪に回生トルクを付与する減速回生中、前記クラッチを締結から解放に切り換えるときは、前記無段変速機の変速比を最低変速比に変速させることを特徴とするハイブリッド車両の制御装置。
【請求項３】
請求項１または２に記載されたハイブリッド車両制御装置において、
運転状態に基づき前記クラッチの解放の許可判定を行うクラッチ解放許可判定手段と、
前記クラッチの解放が許可された後に運転者の意図の変更の有無を判定する意図変更判定手段と、
を備え、
前記制御手段は、前記クラッチの解放が許可され、かつ、前記意図に変更が無いと判定されたときに前記無段変速機の変速比を最低変速比に変速させることを特徴とするハイブリッド車両の制御装置。
【請求項４】
請求項２または３に記載のハイブリッド車両の制御装置において、
前記制御手段は、最低変速比への変速時に、車速が高いときは、車速が低いときより変速速度を遅くすることを特徴とするハイブリッド車両の制御装置。
【請求項５】
請求項１ないし４いずれか１つに記載のハイブリッド車両の制御装置において、
前記制御手段は、前記クラッチの締結から解放への切り替え後、所定時間前記エンジンの作動を継続して前記無段変速機を変速することを特徴とするハイブリッド車両の制御装置。
【請求項６】
請求項１ないし４いずれか１つに記載のハイブリッド車両の制御装置において、
前記制御手段は、前記クラッチの締結から解放への切り替え時、前記クラッチをスリップ状態にして前記無段変速機を変速することを特徴とするハイブリッド車両の制御装置。
【請求項７】
請求項１ないし４いずれか１つに記載のハイブリッド車両の制御装置において、
前記制御手段は、前記クラッチの締結から解放への切り替え後、前記無段変速機のプーリ内に装着された弾性体の弾性力により変速することを特徴とするハイブリッド車両の制御装置。
【請求項８】
請求項７に記載のハイブリッド車両の制御装置において、
前記制御手段は、前記無段変速機の油圧を積極的に抜くことを特徴とするハイブリッド車両の制御装置。
【発明の詳細な説明】
【技術分野】
【０００１】
本発明は、エンジンおよび電動モータを動力源として搭載され、電動モータのみにより走行する電気走行モード（EVモード）と、電動モータおよびエンジンにより走行するハイブリッド走行モード（HEVモード）とを選択可能なハイブリッド車両のモード切り替え制御装置に関する。
【背景技術】
【０００２】
このようなハイブリッド車両としては従来、例えば特許文献１に記載のようなものが知られている。このハイブリッド車両は、一方の動力源であるエンジンが無段変速機およびクラッチを順次介して車輪に切り離し可能に駆動結合され、他方の動力源である電動モータが当該車輪に常時結合された型式のものである。
【０００３】
かかるハイブリッド車両は、エンジンを停止すると共に上記のクラッチを解放することで電動モータのみによるEVモードでの電気走行（EV走行）が可能であり、エンジンを始動させると共に当該クラッチを締結することにより電動モータおよびエンジンによるHEVモードでのハイブリッド走行（HEV走行）が可能である。
【０００４】
なお、EV走行中にクラッチを上記のごとく解放することで、停止状態のエンジンが（変速機が存在している場合は変速機も）車輪から切り離されていることとなり、当該エンジン（変速機）をEV走行中に連れ回す（引き摺る）ことがなく、その分のエネルギー損失を回避し得てエネルギー効率を高めることができる。
【先行技術文献】
【特許文献】
【０００５】
【特許文献１】特開２０００−１９９４４２号公報
【発明の概要】
【発明が解決しようとする課題】
【０００６】
しかしながら、特許文献１に記載の技術では、クラッチのON→OFF→ONといった切り替えに伴って無段変速機を制御するにあたり、特にエンジン再始動時におけるクラッチのOFF→ON時に変速比を検知するまでに時間がかかり、変速制御の開始が無用に遅れるという問題が有った。
【０００７】
本発明は上記課題に着目し、遅れ時間を生じさせることなく変速制御を開始可能なハイブリッド車両の制御装置を提供することを目的とする。
【課題を解決するための手段】
【０００８】
この目的のため、本発明によるハイブリッド車両の制御装置は、無段変速機と駆動輪との間のクラッチを締結から解放に切り替えて電動機により駆動輪に回生トルクを付与する減速回生中、無段変速機の変速比を最低変速比もしくは最高変速比に変速させることとした。
【発明の効果】
【０００９】
すなわち、クラッチが解放され、かつ、エンジンが停止状態となった場合、無段変速機の回転が停止して変速比を検出することができないが、クラッチを締結から解放に切り替えるときに最低変速比もしくは最高変速比に変速しているため、実変速比は最低変速比もしくは最高変速比と認識できる。よって、エンジン再始動とクラッチの解放から締結への切り替えとを行う際、変速比の検出を待たずに初期変速比として最低変速比もしくは最高変速比を使用することができ、遅れ時間を生じさせることなく変速制御を開始することができる。
【図面の簡単な説明】
【００１０】
【図１】本発明の第1実施例になるモード切り替え制御装置を具えたハイブリッド車両の駆動系およびその全体制御システムを示す概略系統図である。
【図２】本発明の回生制動制御装置を適用可能な他の型式のハイブリッド車両を示し、  (a)は、当該ハイブリッド車両の駆動系およびその全体制御システムを示す概略系統図であり、  (b)は、当該ハイブリッド車両の駆動系におけるＶベルト式無段変速機に内蔵された副変速機内における変速摩擦要素の締結論理図である。
【図３】実施例１のモード切り替え制御処理を表すフローチャートである。
【図４】実施例１のモード切り替え制御処理を表すタイムチャートである。
【図５】時速50km/hから減速しているときの実変速比と要求変速比との関係を表す図である。
【図６】変速比の変化と変速時間との関係を表す特性図である。
【図７】実施例２のモード切り替え制御処理を表すフローチャートである。
【図８】時速50km/hから減速しているときの実変速比と要求変速比との関係を表す図である。
【図９】クラッチOFF時に無段変速機を最低変速比まで変速させる際の変速速度と車速との関係を表す特性図である。
【図１０】種々の車速から減速しているときの実変速比と要求変速比との関係を表す図である。
【発明を実施するための形態】
【００１１】
〔実施例１〕
図１は、実施例１のハイブリッド車両の制御装置を具えたハイブリッド車両の駆動系およびその全体制御システムを示す概略系統図である。図１のハイブリッド車両は、エンジン1および電動モータ2を動力源として搭載され、エンジン1は、スタータモータ3により始動する。エンジン1は、Ｖベルト式無段変速機4を介して駆動輪5に適宜切り離し可能に駆動結合し、Ｖベルト式無段変速機4は、概略を以下に説明するようなものとする。
【００１２】
Ｖベルト式無段変速機4は、プライマリプーリ6と、セカンダリプーリ7と、これらプーリ6,7間に掛け渡したＶベルト8とからなるバリエータから構成された無段変速機構CVTである。プライマリプーリ6はトルクコンバータT/Cを介してエンジン1のクランクシャフトに結合し、セカンダリプーリ7はクラッチCLおよびファイナルギヤ組9を順次介して駆動輪5に結合する。かくしてクラッチCLの締結状態で、エンジン1からの動力はトルクコンバータT/Cを経てプライマリプーリ6へ入力され、その後Ｖベルト8、セカンダリプーリ7、クラッチCLおよびファイナルギヤ組9を順次経て駆動輪5に達し、ハイブリッド車両の走行に供される。
【００１３】
かかるエンジン動力伝達中、プライマリプーリ6のプーリＶ溝幅を小さくしつつ、セカンダリプーリ7のプーリＶ溝幅を大きくすることで、Ｖベルト8がプライマリプーリ6との巻き掛け円弧径を大きくされると同時にセカンダリプーリ7との巻き掛け円弧径を小さくされ、Ｖベルト式無段変速機4はハイ側プーリ比（ハイ側変速比）へのアップシフトを行うことができる。ハイ側変速比へのアップシフトを限界まで行った場合、変速比は最高変速比に設定される。
【００１４】
逆にプライマリプーリ6のプーリＶ溝幅を大きくしつつ、セカンダリプーリ7のプーリＶ溝幅を小さくすることで、Ｖベルト8がプライマリプーリ6との巻き掛け円弧径を小さくされると同時にセカンダリプーリ7との巻き掛け円弧径を大きくされ、Ｖベルト式無段変速機4はロー側プーリ比（ロー側変速比）へのダウンシフトを行うことができる。ロー側変速比へのダウンシフトを限界まで行った場合、変速は最低変速比に設定される。
【００１５】
無段変速機4は、プライマリプーリ6の回転数を検出する入力回転センサ6aと、セカンダリプーリ7の回転数を検出する出力回転センサ7aとを有し、これら両回転センサにより検出された回転数に基づいて実変速比を算出し、この実変速比が目標変速比となるように各プーリの油圧制御等が行われる。
【００１６】
電動モータ2はファイナルギヤ組11を介して駆動輪5に常時結合し、この電動モータ2は、バッテリ12の電力によりインバータ13を介して駆動する。
インバータ13は、バッテリ12の直流電力を交流電力に変換して電動モータ2へ供給すると共に、電動モータ2への供給電力を加減することにより、電動モータ2を駆動力制御および回転方向制御する。
なお電動モータ2は、上記のモータ駆動のほかに発電機としても機能し、後で詳述する回生制動の用にも供する。この回生制動時はインバータ13が、電動モータ2に回生制動力分の発電負荷をかけることにより、電動モータ2を発電機として作用させ、電動モータ2の発電電力をバッテリ12に蓄電する。
【００１７】
実施例１のハイブリッド車両は、クラッチCLを解放すると共にエンジン1を停止させた状態で電動モータ2を駆動することで、電動モータ2の動力のみがファイナルギヤ組11を経て駆動輪5に達し、電動モータ2のみによる電気走行モード（EVモード）で走行を行う。この間、クラッチCLを解放していることで、停止状態のエンジン1を連れ回すことがなく、EV走行中の無駄な電力消費を抑制する。
【００１８】
上記のEV走行状態においてエンジン1をスタータモータ3により始動させると共にクラッチCLを締結させると、エンジン1からの動力がトルクコンバータT/C、プライマリプーリ6、Ｖベルト8、セカンダリプーリ7、クラッチCLおよびファイナルギヤ組9を順次経て駆動輪5に達するようになり、ハイブリッド車両はエンジン1および電動モータ2によるハイブリッド走行モード（HEVモード）で走行を行う。
【００１９】
ハイブリッド車両を上記の走行状態から停車させる、もしくは、この停車状態に保つに際しては、駆動輪5と共に回転するブレーキディスク14をキャリパ15により挟圧して制動することで目的を達する。キャリパ15は、運転者が踏み込むブレーキペダル16の踏力に応動して負圧式ブレーキブースタ17による倍力下でブレーキペダル踏力対応のブレーキ液圧を出力するマスタシリンダ18に接続し、このブレーキ液圧でキャリパ15を作動させてブレーキディスク14の制動を行う。ハイブリッド車両はEVモードおよびHEVモードのいずれにおいても、運転者がアクセルペダル19を踏み込んで指令する駆動力指令に応じたトルクで車輪5を駆動され、運転者の要求に応じた駆動力をもって走行される。
【００２０】
ハイブリッド車両の走行モード選択と、エンジン1の出力制御と、電動モータ2の回転方向制御および出力制御と、無段変速機4の変速制御と、クラッチCLの締結、解放制御と、バッテリ12の充放電制御とは、それぞれハイブリッドコントローラ21が行う。このとき、ハイブリッドコントローラ21は、対応するエンジンコントローラ22、モータコントローラ23、変速機コントローラ24、およびバッテリコントローラ25を介してこれら制御を行うものとする。
【００２１】
そのためハイブリッドコントローラ21には、ブレーキペダル16を踏み込む制動時にOFFからONに切り替わる常開スイッチであるブレーキスイッチ26からの信号と、アクセルペダル踏み込み量（アクセル開度）APOを検出するアクセル開度センサ27からの信号とを入力する。ハイブリッドコントローラ21は更に、エンジンコントローラ22、モータコントローラ23、変速機コントローラ24、およびバッテリコントローラ25との間で、内部情報のやり取りを行う。
【００２２】
エンジンコントローラ22は、ハイブリッドコントローラ21からの指令に応答して、エンジン1を出力制御し、モータコントローラ23は、ハイブリッドコントローラ21からの指令に応答してインバータ13を介し電動モータ2の回転方向制御および出力制御を行う。変速機コントローラ24は、ハイブリッドコントローラ21からの指令に応答し、エンジン駆動されるオイルポンプO/Pからのオイルを媒体として、無段変速機4（Ｖベルト式無段変速機構CVT）の変速制御およびクラッチCLの締結、解放制御を行う。バッテリコントローラ25は、ハイブリッドコントローラ21からの指令に応答し、バッテリ12の充放電制御を行う。
【００２３】
なお図1では、Ｖベルト式無段変速機構CVT（セカンダリプーリ7）と駆動輪5との間を切り離し可能に結合するため、無段変速機4に専用のクラッチCLを設けたが、
図2(a)に例示するごとく無段変速機4が、Ｖベルト式無段変速機構CVT（セカンダリプーリ7）と駆動輪5との間に副変速機31を内蔵している場合は、副変速機31の変速を司る摩擦要素（クラッチや、ブレーキなど）を流用して、Ｖベルト式無段変速機構CVT（セカンダリプーリ7）と駆動輪5との間を切り離し可能に結合することができる。この場合、Ｖベルト式無段変速機構CVT（セカンダリプーリ7）と駆動輪5との間を切り離し可能に結合する専用のクラッチを追設する必要がなくてコスト上有利である。
【００２４】
図2(a)の副変速機31は、複合サンギヤ31s-1および31s-2と、インナピニオン31pinと、アウタピニオン31poutと、リングギヤ31rと、ピニオン31pin, 31poutを回転自在に支持したキャリア31cとからなるラビニョオ型プラネタリギヤセットで構成する。
【００２５】
複合サンギヤ31s-1および31s-2のうち、サンギヤ31s-1は入力回転メンバとして作用するようセカンダリプーリ7に結合し、サンギヤ31s-2はセカンダリプーリ7に対し同軸に配置するが自由に回転し得るようにする。
【００２６】
サンギヤ31s-1にインナピニオン31pinを噛合させ、このインナピニオン31pinおよびサンギヤ31s-2をそれぞれアウタピニオン31poutに噛合させる。
アウタピニオン31poutはリングギヤ31rの内周に噛合させ、キャリア31cを出力回転メンバとして作用するようファイナルギヤ組9に結合する。
キャリア31cとリングギヤ31rとをハイクラッチH/Cにより適宜結合可能となし、リングギヤ31rをリバースブレーキR/Bにより適宜固定可能となし、サンギヤ31s-2をローブレーキL/Bにより適宜固定可能となす。
【００２７】
副変速機31は、変速摩擦要素であるハイクラッチH/C、リバースブレーキR/BおよびローブレーキL/Bを、図2(b)に○印により示す組み合わせで締結させ、それ以外を図2(b)に×印で示すように解放させることにより前進第1速、第2速、後退の変速段を選択することができる。ハイクラッチH/C、リバースブレーキR/BおよびローブレーキL/Bを全て解放すると、副変速機31は動力伝達を行わない中立状態であり、この状態でローブレーキL/Bを締結すると、副変速機31は前進第1速選択（減速）状態となり、ハイクラッチH/Cを締結すると、副変速機31は前進第2速選択（直結）状態となり、リバースブレーキR/Bを締結すると、副変速機31は後退選択（逆転）状態となる。
【００２８】
図2(a)の無段変速機4は、全ての変速摩擦要素H/C, R/B, L/Bを解放して副変速機31を中立状態にすることで、Ｖベルト式無段変速機構CVT（セカンダリプーリ7）と駆動輪5との間を切り離すことができる。従って図2(a)の無段変速機4は、副変速機31の変速摩擦要素H/C, R/B, L/Bが図1におけるクラッチCLの用をなし、図1におけるようにクラッチCLを追設することなく、Ｖベルト式無段変速機構CVT（セカンダリプーリ7）と駆動輪5との間を切り離し可能に結合することができる。
【００２９】
図2(a)の無段変速機4は、エンジン駆動されるオイルポンプO/Pからのオイルを作動媒体として制御されるもので、変速機コントローラ24がライン圧ソレノイド35、ロックアップソレノイド36、プライマリプーリ圧ソレノイド37、ローブレーキ圧ソレノイド38、ハイクラッチ圧＆リバースブレーキ圧ソレノイド39およびスイッチバルブ41を介し、無段変速機4の当該制御を以下のように制御する。尚、変速機コントローラ24には、図1につき前述した信号に加えて、車速VSPを検出する車速センサ32からの信号、および車両加減速度Gを検出する加速度センサ33からの信号を入力する。
【００３０】
ライン圧ソレノイド35は、変速機コントローラ24からの指令に応動し、オイルポンプO/Pからのオイルを車両要求駆動力対応のライン圧PLに調圧し、このライン圧PLを常時セカンダリプーリ7へセカンダリプーリ圧として供給することにより、セカンダリプーリ7がライン圧PLに応じた推力でＶベルト8をスリップしないよう挟圧する。
ロックアップソレノイド36は、変速機コントローラ24からのロックアップ指令に応動し、ライン圧PLを適宜トルクコンバータT/Cに向かわせることで、トルクコンバータT/Cを所要に応じて入出力要素間が直結されたロックアップ状態にする。
【００３１】
プライマリプーリ圧ソレノイド37は、変速機コントローラ24からのCVT変速比指令に応動してライン圧PLをプライマリプーリ圧に調圧し、これをプライマリプーリ6へ供給することにより、プライマリプーリ6のV溝幅と、ライン圧PLを供給されているセカンダリプーリ7のV溝幅とを、CVT変速比が変速機コントローラ24からの指令に一致するよう制御して変速機コントローラ24からのCVT変速比指令を実現する。
ローブレーキ圧ソレノイド38は、変速機コントローラ24が副変速機31の第1速選択指令を発しているとき、ライン圧PLをローブレーキ圧としてローブレーキL/Bに供給することによりこれを締結させ、第1速選択指令を実現する。
ハイクラッチ圧＆リバースブレーキ圧ソレノイド39は、変速機コントローラ24が副変速機31の第2速選択指令または後退選択指令を発しているとき、ライン圧PLをハイクラッチ圧＆リバースブレーキ圧としてスイッチバルブ41に供給する。
【００３２】
第2速選択指令時はスイッチバルブ41が、ソレノイド39からのライン圧PLをハイクラッチ圧としてハイクラッチH/Cに向かわせ、これを締結することで副変速機31の第2速選択指令を実現する。
後退選択指令時はスイッチバルブ41が、ソレノイド39からのライン圧PLをリバースブレーキ圧としてリバースブレーキR/Bに向かわせ、これを締結することで副変速機31の後退選択指令を実現する。
【００３３】
＜モード切り替え制御＞
実施例１のハイブリッド車両のモード切り替え動制御を、図１の車両の駆動系に基づいて以下に説明する。
HEV走行中にアクセルペダル19を釈放してコースティング（惰性）走行へ移行した場合や、その後ブレーキペダル16を踏み込んで車両を制動する場合、電動モータ2による回生制動によって車両の運動エネルギーを電力に変換し、これをバッテリ12に蓄電しておくことでエネルギー効率の向上を図る。
【００３４】
ところでHEV走行のままの回生制動（HEV回生）は、クラッチCLが締結状態であるため、エンジン1の逆駆動力（エンジンブレーキ）分および無段変速機4のフリクション分だけ回生制動エネルギーの低下を招くこととなり、エネルギー回生効率が悪い。
そのため、HEV走行中に回生制動が開始されたら、できるだけクラッチCLの解放によりエンジン1および無段変速機4を駆動輪5から切り離してEV走行へと移行することでEV回生状態となし、これによりエンジン1および無段変速機4の連れ回しをなくすことで、その分だけエネルギー回生量を稼げるようにするのが、エネルギー効率を高めるために必要である。
【００３５】
一方、上記のようにクラッチCLを解放している時は燃費の観点からエンジン1を無用な運転が行われないよう停止させておくため、上記のコースティング走行中に実行されていたエンジン1への燃料噴射の中止（フューエルカット）がクラッチCLの上記解放時も継続されるよう、エンジン1への燃料噴射の再開（フューエルリカバー）を禁止することで、クラッチCLの解放時にエンジン1を停止させる。
【００３６】
しかし、かようにエンジン1を停止させた場合は、アクセルペダル19を踏み込む再加速時に要求駆動力を電動モータ2のみにより賄い得ず、駆動力不足状態になることから、エンジン1をスタータモータ3により再始動させると共に、クラッチCLを締結させてEV走行からHEV走行へ切り替えることになる。
【００３７】
従って、エネルギー回生効率を高めるためHEV回生の開始時にできるだけクラッチを解放して、エンジン1および無段変速機4を駆動輪5から切り離すと共にエンジン1を停止させるよう構成すると、アクセルペダル19を頻繁に釈放したり、再踏み込みする癖のある運転者が運転している場合や、主としてそのような運転を余儀なくされる走行環境下で車両を使用する場合は（以下、チェンジマインドと記載する。）、必然的にエンジン1の再始動が頻繁に行われることとなり、エンジン始動用スタータモータ3の起動回数が早期に耐久起動回数に達し、スタータモータ保護の観点から不利である。
【００３８】
かといって、スタータモータ5の保護（耐久性向上）を優先させ、HEV回生制動の開始時から大きく遅れてクラッチCLを解放するのでは、エンジン1および無段変速機4を連れ回すHEV回生の期間が長くなって、エンジン1および無段変速機4の連れ回しエネルギー分だけエネルギー回生効率が悪化するという問題を生ずる。
【００３９】
そこで実施例１にあっては、チェンジマインドが生じたか否かをブレーキペダル16が所定時間以上継続的に踏み込まれているか否かに基づいて判断し、所定時間以上継続的に踏み込まれていると判断した場合にはクラッチCLを解放して減速回生制御を行うこととし、それ以外の場合はチェンジマインドが生じたと判断してクラッチCLの解放を禁止することとしている。
【００４０】
〔EVモードからHEVモードへの切り替え時における課題〕
ここで、EVモードにおいてクラッチCLを解放して減速回生制御を行い、その後、アクセルペダル19が踏み込まれることで、EVモードからHEVモードにモード遷移し、エンジン再始動を行うと共にクラッチCLを解放から締結に切り替えて制御する際の課題について説明する。
【００４１】
クラッチCLをONからOFFに切り替えてエンジン1を停止した後に加速要求があったとき（発進時もしくは再加即時）、ドライバ要求トルクを電動モータ2のみで実現できない場合には、エンジン再始動と、クラッチCLのOFF→ONへの切り替えと、無段変速機4の変速制御（通常の変速制御に加えて必要に応じて回転同期制御）とが必要となる。
【００４２】
無段変速機4の変速制御を開始するには、変速比の初期値（初期変速比）が必要となる。無段変速機4の変速比は、プーリ及びベルトから構成されるバリエータの入力軸に設けられた入力回転センサ6aの値と出力軸に設けられた出力回転センサ7aの値とに基づいて検出される。しかしながら、クラッチCLを解放した状態でエンジン停止中にあっては、バリエータの入出力軸が共に回転停止しているため、変速比を検出することができない。その後、変速比が検出可能となるのは、エンジン1のクランキングが開始し、バリエータの入出力軸が回転し始めて、入出力回転センサ6a，7aにより回転を検出可能となってからである。
【００４３】
ここで、エンジンクランキングを開始してから入出力回転センサにより回転を検出して変速比を検知できるまでに要する時間を例えば0.8秒とすると、エンジンクランキングを開始してから初期変速比が検出されるまでに0.8秒かかるため、変速制御はエンジンクランキングを開始してから0.8秒後に開始されることとなる。
【００４４】
ところが、エンジンクランキングを開始してから変速可能な状態（オイルポンプの吐出圧の確保等）となるまでに要する時間は0.6秒であり、初期変速比を検出するまでの時間よりも短いことが判明した。言い換えると、クランキング開始から変速制御が開始されるまでの間には、変速可能な状態となってから初期変速比検出までの0.2秒だけ遅れてしまう遅れ時間が含まれていることを意味している。尚、0.8秒，0.6秒及び0.2秒といった時間はあくまで例示であるが、この時間の相互傾向や大小関係は概ね無段変速機4全般に言えることである。
【００４５】
したがって、エンジン再始動とクラッチCLの解放から締結への切り替えとを行うEVモードからHEVモードへの切り替え時、バリエータの入出力回転センサ6a，7aにより検出された初期変速比を用いて変速制御を開始する構成では、エンジン1のクランキングが開始されて変速可能な状態となったとしても、遅れ時間経過後に初期変速比が検出されるまでは変速制御を開始できないという問題がある。
【００４６】
そこで、実施例１では、減速回生中にクラッチCLを締結から解放に切り替えるとき、無段変速機4の変速比を最低変速比に変速させ、その後、エンジン1を停止することとした。この場合、エンジン1が停止し、無段変速機4の回転数が停止した状態でも、変速比としては最低変速比であることが認識されているため、変速可能な状態となった段階で即座に変速制御を開始することができる。
【００４７】
以下、上記モード切り替え制御を実現する制御フローについて説明する。図３は実施例１のモード切り替え制御処理を表すフローチャートである。尚、本制御フローは、電動モータ2による回生制動の許可条件が満足されるとき、例えば電動モータ2の温度が発電を行っても大丈夫な温度域であり、且つ、バッテリ12の温度が充電可能な温度域であり、且つ、バッテリ12が充電余力を残している蓄電状態であるときに実行するのは言うまでもない。
【００４８】
ステップＳ11においては、アクセル開度APOからアクセルペダル19が釈放されているコースティング走行か否かをチェックし、ステップＳ12においては、ブレーキスイッチ26がON（ブレーキペダル16が踏み込まれている制動状態）か否かをチェックする。
本実施例は、アクセルペダル19を釈放し、且つブレーキペダル16を踏み込んだときに回生制動を行うものを前提とする。従ってステップS11,12は、本発明におけるクラッチ解放許可判定手段に相当する。
ステップＳ11でアクセルペダル19が釈放状態でないと判定したり、ステップＳ12でブレーキスイッチ26がONでない（非制動状態）と判定する時は、制御をそのまま終了して本制御フローを終了する。
【００４９】
ちなみに、アクセルペダル19が釈放されているコースティング走行中は、エンジン動力が不要であるからエンジン1への燃料供給を中断（フューエルカット）して、燃費の向上を図るのは通常通りである。
【００５０】
ステップS11でアクセルペダル19が釈放状態であると判定し、且つステップS12でブレーキスイッチ26がON（制動状態）と判定する時、回生制動条件が揃ったことで制御をステップS13に進め、現在のHEV走行のもと運転状態に応じた所定減速度が得られるよう回生制動（HEV回生）を行う。
【００５１】
次のステップS14においては、ステップS12でのブレーキスイッチON（制動）判定が設定時間ΔTs以上継続したか否かを、つまりブレーキスイッチON時間ΔT（HEV回生時間）が設定時間ΔTs以上か否かをチェックし、回生制動の開始時から設定時間経過後であるか否かを判定する。
ステップS14でブレーキスイッチON時間ΔT（HEV回生時間）が設定時間ΔTs未満であると判定する間は、ステップS20を経て制御をステップS13に戻すことで現在のHEV走行のまま、運転状態に応じた所定減速度が得られるようHEV回生を継続する。運転者がチェンジマインドによりブレーキペダル16を放し、アクセルペダル19を踏み込んだ場合には、即座にエンジン1からトルクを出力する必要があり、その場合にクラッチCLを解放してしまうと、再加速性能を確保できなくなるからである。
【００５２】
ステップS14でブレーキスイッチON時間ΔT（HEV回生時間）が設定時間ΔTs以上になったと判定する時、制御をステップS15に進めてクラッチCLの解放を許可する。従ってステップS14は、本発明における意図変更判定手段に相当する。
【００５３】
ステップS16では、締結状態のクラッチCLを介したエンジン1および無段変速機4の引き摺り減速度Gdを、CVTプーリ比（無段変速機4の変速比）i、エンジン回転数Neおよび車速VSPから演算する。そして、引き摺り減速度分Gdを回生制動力に上乗せし、当該上乗せした回生制動力が得られるようなEV回生を行って、EV回生への切り替え後も、現在のEV走行のもと運転状態に応じた所定減速度が得られるようにする。
【００５４】
次のステップS17においては、フューエルカットされているエンジン1への燃料供給再開（フューエルリカバー）を許可する。すなわち、エンジン回転数が低下した際には、自動的に燃料噴射を再開してエンジン1の駆動状態を保ち、これによりエンジン1により駆動されるオイルポンプO/Pの油圧を確保する。
【００５５】
ステップS18では、最低変速比への変速を実行する。そして、ステップS19において変速終了したか否かを判断し、変速終了するまでステップS18を繰り返す。最低変速比への変速が終了すると、ステップS20に進んでフューエルカットリカバーを禁止する。これにより、無段変速機4の変速比iが最低変速比に変速された状態でエンジン1が停止される。
【００５６】
このように無段変速機4の変速比iを最低変速比に変速させることで、次回のエンジン再始動時にエンジン等の回転数が０であっても変速比を事前に認識することが可能となり、変速可能な状態となった段階で即座に変速制御を開始することができる。
【００５７】
図４は実施例１のモード切り替え制御処理を表すタイムチャートである。このタイムチャートは、運転者がアクセルペダルを放した状態でコースティング走行している状態を初期状態とする。
時刻ｔ１において、運転者がブレーキペダル16を踏み込むことでブレーキスイッチ26がONとなり、所定減速度が得られるように回生制動が開始される。
そして時刻ｔ１から設定時間ΔTsが経過した時刻ｔ２において、設定時間ΔTsの間、ブレーキスイッチ26のON状態が継続すると、チェンジマインドが生じていないと判断してクラッチCLの解放を許可する。このとき、エンジン1および無段変速機4の引き摺り減速度Gdを上乗せした回生制動力を発生させてEV走行のもと所定減速度を確保する。
同時にフューエルカットリカバーを許可することでオイルポンプO/Pの発生する油圧を確保し、無段変速機4を最低変速比に向けて変速させる。そして、変速が終了する時刻ｔ３において、フューエルカットリカバーを禁止してエンジン1を停止する。
【００５８】
時刻ｔ４において、運転者がブレーキペダル16を放し、アクセルペダル19を踏み込むと、エンジン再始動要求が出力され、エンジンクランキングが開始される。そして、エンジンクランキング開始から0.6秒経過後の時刻t5において、オイルポンプO/Pの吐出圧が確保され、無段変速機4が変速可能な状態となる。
【００５９】
比較例として変速比が認識できていない例を説明する。この場合には、変速比を認識するのに、変速可能な状態となってから0.2秒後に変速比を検知できるため、その時点から要求変速比に向けて変速を開始するため、変速比を達成するまでに遅れを生じる。これに対し、実施例１では、無段変速機4の変速比が最低変速比と認識できているため、要求変速比に向けて素早く変速を開始できる。
【００６０】
ここで、実施例１のように最低変速比に変速比を固定することが、エンジン再始動が行われた時点における要求変速比に短時間で変速できる点について詳細に説明する。ここでは、代表的な例として、時速50km/hの時点でブレーキスイッチ16がONとなり、クラッチCLが解放された場合を想定して説明する。
【００６１】
図５は時速50km/hから減速しているときの実変速比と要求変速比との関係を表す図である。図中、実線はアクセル開度が０の場合における車速に応じて予め設定された要求変速比である。一点鎖線は実施例１の場合の変速比を示し、時速50km/hのときの要求変速比から最低変速比に向けて変速させた場合を示す。点線は比較例の場合の変速比を示し、無段変速機4に特に変速指令等を出すことなく自然に変化する変速比（以下、できなり変速比と記載する。）を示す。実施例１の無段変速機4のシリンダ室内には弾性体であるコイルスプリングが内蔵され、また、各部位におけるリーク等も生じることから、できなり変速比は徐々にロー側に向かって変化する。コースティング走行であってエンジン1の停止及びクラッチCLの解放が行われた後、エンジン再始動要求が来た場合には、エンジン再始動後、無段変速機4は要求変速比に向けて変速する。
【００６２】
（領域Ａについて）
領域Ａとは、現在の変速比から要求変速比に向けて変速する際に変化する必要のある変速比の大きさ（以下、変速量と記載する。）に着目した時、実施例１の変速量よりも比較例の変速量の方が大きい場合を示す領域である。図５に示す例では、約22km/hにおいて実施例１の変速量と比較例の変速量とが一致する。よって、約22km/h以下の領域の場合、変速比を検知するまでのタイムラグの有無に関わらず、実施例１のほうが速く要求変速比に到達可能であることが理解できる。
【００６３】
（領域Ｂについて）
次に、領域Ｂについて説明する。図６は変速比の変化と変速時間との関係を表す特性図である。この無段変速機4は入力回転数に応じて変速速度が変化し、車速が上昇するに連れて音振性能の許容範囲内でクランキング回転数を上昇させるため変速速度も上昇する。この傾向を踏まえて見てみると、車速22km/h以上の領域では、遅れ時間0.2秒の間に最低変速比2.2から1.25まで変速可能である。そこで、図５上に変速比1.25を設定したときに要求変速比と交差するポイントを見ると車速35km/h程度であることが理解できる。よって、領域Ｂを約22km/hから35km/hの範囲と定義する。この領域では、例え実施例の変速量が比較例の変速量よりも大きい場合であっても、遅れ時間0.2秒の間に要求変速比に到達可能であるため、実施例のほうが有利であることが理解できる。
【００６４】
（領域Ｃについて）
次に、領域Ｃについて説明する。例えば、車速40km/hのときは、実施例における変速量が最も大きく、比較例の変速量との差も最も大きい。そこで、図６に車速40km/hのときの最低変速比からの変速時間を見てみると、22km/hのときよりも変速速度は上昇するため、図６の点線に示す実施例（40km/h）となる特性を示す。一方、比較例の場合、変速を開始する変速比は概ね0.9程度である。ただし、遅れ時間分だけ経過してから変速を開始することから、0.2秒経過後から図６の点線に示す比較例（40km/h）となる特性を示す。車速40kn/hにおける要求変速比は1.1であることから、図６を参照して要求変速比1.1に到達するタイミングを見てみると、やはり実施例のほうが比較例よりも速く要求変速比1.1に到達していることが分かる。このように、実施例において遅れ時間0.2秒経過後に要求変速比に到達する場合であっても、比較例より早く要求変速比を達成することができる。
【００６５】
すなわち、領域Ａ，Ｂ，Ｃの全てにおいて、エンジン再始動後、無段変速機4を要求変速比に向けて変速させるまでの時間は、エンジン停止時に最低変速比に変速させた場合のほうが、できなりの変速比から変速比を検出して変速する場合よりも常時短くできるのである。
【００６６】
以上説明したように、実施例１にあっては下記に列挙する作用効果が得られる。
（１）エンジン1の出力軸に結合された無段変速機4と、
無段変速機4と駆動輪との間に介装されたクラッチCLと、
駆動輪に結合された電動モータ2（電動機）と、
エンジン1により駆動され、無段変速機4とクラッチCLとに油圧を供給するオイルポンプO/Pと、
運転状態に応じて、エンジン1及び電動モータ2の出力状態と、無段変速機4の変速比と、クラッチCLの締結・解放とを制御するハイブリッドコントローラ21（制御手段）と、
を有し、
ハイブリッドコントローラ21は、クラッチCLを締結から解放に切り替えて電動モータ2により駆動輪に回生トルクを付与する減速回生中に、無段変速機4の変速比を最低変速比に変速させることとした。
すなわち、クラッチCLが解放され、かつ、エンジン1が停止状態となった場合、無段変速機4の回転が停止して変速比を検出することができないが、クラッチCLを締結から解放に切り替えるときに最低変速比に変速しているため、実変速比は最低変速比と認識できる。よって、エンジン再始動とクラッチの解放から締結への切り替えとを行う際、変速比の検出を待たずに初期変速比として最低変速比を使用することができ、遅れ時間を生じさせることなく変速制御を開始することができる。
【００６７】
（２）ハイブリッドコントローラ21は、電動モータ2により駆動輪に回生トルクを付与する減速回生中、クラッチCLを締結から解放に切り換えるときは、無段変速機4の変速比を最低変速比に変速させる。
よって、再発進時において加速性能を確保できる。
【００６８】
（３）運転状態に基づきクラッチCLの解放の許可判定を行うステップS11,12（クラッチ解放許可判定手段）と、
クラッチCLの解放が許可された後に運転者の意図の変更の有無を判定するステップS14（意図変更判定手段）と、
を備え、
ハイブリッドコントローラ21は、クラッチCLの解放が許可され、かつ、意図に変更が無いと判定されたときに無段変速機4の変速比を最低変速比に変速させることとした。
よって、車両走行中のチェンジマインドによる再加速要求が生じた場合に、チェンジマインドの判定の間に減速することで要求変速比を低くすることができる。よって、再加速要求が来た場合に変速量を低減でき、再加速性を確保できる。言い換えると、チェンジマインドを判断する間に減速が行われるため領域Ｃに存在する場合を低減して領域Ａ，Ｂとすることができ、途中で再加速要求が出された場合にも素早い変速によって再加速性を確保できる。
【００６９】
〔実施例２〕
次に、実施例２について説明する。基本的な構成は実施例１と同じであるため、異なる点についてのみ説明する。図７は実施例２のモード切り替え制御処理を表すフローチャートである。実施例１ではステップS18において最低変速比へ変速した。これに対し、実施例２では最高変速比に変速する点が異なる。すなわち、ステップS18aでは、最高変速比へ変速させる。以下、最高変速比に変更した場合の作用について説明する。
【００７０】
図８は時速50km/hから減速しているときの実変速比と要求変速比との関係を表す図である。図中、実線はアクセル開度が０の場合における車速に応じて予め設定された要求変速比である。一点鎖線は実施例２の場合の変速比を示し、時速50km/hのときの要求変速比から最高変速比に向けて変速させた場合を示す。点線は比較例の場合の変速比を示し、できなり変速比を示す。図８に示すように、実施例２の場合、全ての車速域において実施例２の変速量が比較例の変速量より大きい。しかしながら、鋭意検討の結果、実施例２の場合、最高変速比から最低変速比に向けて変速する際、遅れ時間である0.2秒を経過した時は、車両停止時のできなり変速比1.1よりも低変速比側を通過していることが理解された。すなわち、比較例の場合は変速可能状態となってから遅れ時間である0.2秒経過してから変速が開始され、この時点で既に実施例２の場合よりも高変速比側に位置しているのである。
【００７１】
すなわち、最も変速量の差が大きい状態であっても、遅れ時間経過時に実施例２のほうがより低変速比側に変速することが可能となる。言い換えると、全ての車速領域において、エンジン再始動後、無段変速機4を要求変速比に向けて変速させるまでの時間は、エンジン停止時に最高変速比に変速させた場合のほうが、できなりの変速比から変速比を検出して変速する場合よりも常時短くできる。
【００７２】
以上説明したように、実施例２にあっては下記に列挙する作用効果が得られる。
（１−２）エンジン1の出力軸に結合された無段変速機4と、
無段変速機4と駆動輪との間に介装されたクラッチCLと、
駆動輪に結合された電動モータ2（電動機）と、
エンジン1により駆動され、無段変速機4とクラッチCLとに油圧を供給するオイルポンプO/Pと、
運転状態に応じて、エンジン1及び電動モータ2の出力状態と、無段変速機4の変速比と、クラッチCLの締結・解放とを制御するハイブリッドコントローラ21（制御手段）と、
を有し、
ハイブリッドコントローラ21は、クラッチCLを締結から解放に切り替えて電動モータ2により駆動輪に回生トルクを付与する減速回生中に、無段変速機4の変速比を最高変速比に変速させることとした。
すなわち、クラッチCLが解放され、かつ、エンジン1が停止状態となった場合、無段変速機4の回転が停止して変速比を検出することができないが、クラッチCLを締結から解放に切り替えるときに最高変速比に変速しているため、実変速比は最高変速比と認識できる。よって、エンジン再始動とクラッチの解放から締結への切り替えとを行う際、変速比の検出を待たずに初期変速比として最高変速比を使用することができ、遅れ時間を生じさせることなく変速制御を開始することができる。
【００７３】
〔実施例３〕
次に、実施例３について説明する。基本的な構成は実施例１と同じであるため異なる点についてのみ説明する。図９はクラッチOFF時に無段変速機4を最低変速比まで変速させる際の変速速度と車速との関係を表す特性図である。実施例３では、図７のステップS18において最低変速比に変速させる際、車速が高くなるほど低い変速速度を設定するものである。以下、この変速速度設定の作用について説明する。
図１０は種々の車速から減速しているときの実変速比と要求変速比との関係を表す図である。一点鎖線はそれぞれ実変速比を示し、実線は要求変速比を示す。高車速時には変速速度が低く設定されるため実変速比が最低変速比に向けて変化するときの実変速比変化勾配は緩やかな勾配となる。これに対し、中車速→低車速と変化するに連れて実変速比の変化勾配が徐々に急峻となる。
【００７４】
まず、高車速のときに要求変速比から一気に最低変速比に変速させてしまうと、途中でチェンジマインドにより再加速要求が来た場合、要求変速比に戻るまでの変速量が大きくなる。そこで、変速速度を低くし、実変速比変化勾配を緩やかにすることで、チェンジマインドによる再加速要求が来た場合、比較的要求変速比に近い位置となり、変速量を低減することができる。一方、低車速（特に、上述の領域Ａ，Ｂ等）にあっては、最低変速比から要求変速比に変速するまでに短時間であることから、素早く最低変速比に変化させてエンジン1の作動を停止することが燃費の観点から望ましい。よって、低車速領域ほど実変速比変化勾配を急峻とすることで燃費の改善を図ることができる。
【００７５】
以上説明したように、実施例３にあっては下記の作用効果が得られる。
（４）ハイブリッドコントローラ21は、最低変速比への変速時に、車速が高いときは、車速が低いときより変速速度を遅くすることとした。
よって、高車速時にチェンジマインドによる再加速要求が来た場合において、要求変速比に向けて変速する変速量を低減することができ、再加速要求を向上できる。また、低車速時には素早く最低変速比に変化させることで燃費の改善を図ることができる。
【００７６】
（他の実施例）
以上、本願発明を各実施例に基づいて説明したが、上記構成に限られず、他の構成であっても本願発明に含まれる。
（５）例えば、実施例１では、クラッチCLの解放後、変速が終了するまでの間はエンジン作動（エンジンフューエルカットの禁止の解除）を行っていたが、クラッチ解放後の所定時間、エンジン作動を継続させて、その間に無段変速機4を変速させるような構成としてもよい。
これにより、例えばエンジン1に燃料噴射を行ってエンジン回転数を制御し、これにより変速速度を制御することができる。また、スタータモータ3を使用せずともエンジン始動が達成できるため、スタータモータ3の耐久性の向上を図ることができる。また、更には、触媒Ｏ2ストレージを調整するため、リッチスパイク相当の燃料増量を行うと、次回のエンジン始動時にNOxが悪化しない。バルブタイミング変更機構VTCのような油圧制御系部品をこのタイミングで作動させることで、次回の発進時相当の回転角位置に戻すことも可能となり、エンジントータル性能の向上を図ることができる。
【００７７】
（６）また、ハイブリッドコントローラ21は、クラッチCLの締結から解放への切り替え時、クラッチCLをスリップ状態にして無段変速機4を変速することしてもよい。
これにより、エンジン1を作動させることなく無段変速機4を回転させることができるため、変速速度を確保することは困難ではあるが早期にエンジン1を停止して変速できるため、燃費を改善できる。
【００７８】
（７）また、ハイブリッドコントローラ21は、クラッチCLの締結から解放への切り替え後、無段変速機4のプーリ内に装着された弾性体の弾性力により変速するように構成してもよい。
これにより、エンジン1を停止し、かつ、クラッチCLでの引き摺りも生じないため、燃料消費を抑制し、かつ、回生量の増大を図ることができる。
【００７９】
（８）また、上記（７）に示すように弾性体の弾性力で変速するときは、無段変速機4の油圧を積極的に抜くことが望ましい。
これにより、変速速度を高めることができ、車両停止時に最低変速比を確保することができ、再発進性能を向上できる。
【００８０】
更に、実施例ではスタータモータ3によりエンジン再始動を行う構成を示したが、他の構成であっても構わない。具体的には、近年、アイドリングストップ機能付き車両であって、オルタネータをモータ・ジェネレータに置き換え、このモータ・ジェネレータにオルタネータ機能を加えてエンジン始動機能を付加することにより、アイドリングストップからのエンジン再始動時に、スタータモータではなく、このモータ・ジェネレータによりエンジン再始動を行う技術が実用化されている。本願発明も上記のようなモータ・ジェネレータによりエンジン再始動を行う構成としてもよい。
【００８１】
また、実施例では、制動状態か否かの判断をブレーキスイッチのONもしくはOFFに基づいて判断したが、これに限定されるものではなく、ブレーキペダルのストロークセンサの出力値に基づいて判断する、もしくはマスタシリンダ圧等を検出するブレーキ液圧センサの出力値に基づいて判断するようにしてもよい。
【符号の説明】
【００８２】
1  エンジン（動力源）
2  電動モータ（動力源）
3  スタータモータ
4  Ｖベルト式無段変速機
5  駆動輪
6  プライマリプーリ
7  セカンダリプーリ
8  Ｖベルト
CVT  無段変速機構
T/C  トルクコンバータ
CL  クラッチ
9,11  ファイナルギヤ組
12  バッテリ
13  インバータ
14  ブレーキディスク
15  キャリパ
16  ブレーキペダル
17  負圧式ブレーキブースタ
18  マスタシリンダ
19  アクセルペダル
21  ハイブリッドコントローラ
22  エンジンコントローラ
23  モータコントローラ
24  変速機コントローラ
25  バッテリコントローラ
26  ブレーキスイッチ
27  アクセル開度センサ
O/P  オイルポンプ
31  副変速機
H/C  ハイクラッチ
R/B  リバースブレーキ
L/B  ローブレーキ
32  車速センサ
【図１】
2014097773.tif 000003
【図２】
2014097773.tif 000004
【図３】
2014097773.tif 000005
【図４】
2014097773.tif 000006
【図５】
2014097773.tif 000007
【図６】
2014097773.tif 000008
【図７】
2014097773.tif 000009
【図８】
2014097773.tif 000010
【図９】
2014097773.tif 000011
【図１０】
2014097773.tif 000012